(57)【特許請求の範囲】
【請求項１】
回転方向に開閉可能な左右のピンボディーと、前記左右のピンボディーの間に設けられるかんざしと、を備え、前記左右のピンボディーと前記かんざしとによって立体的に髪の毛を挟み、髪の毛を固定する髪止め具であって、
前記左右のピンボディーに別々に複数のピンリブが設けられ、前記左右のピンボディーにプッシュグリップ部が設けられ、前記プッシュグリップ部には軸孔が開けられ、前記プッシュグリップ部の内側にガイドスロットが形成され、
前記かんざしに棒部と軸部とが設けられ、前記棒部は前記軸部から前に向かって延伸し、前記軸部に軸が設けられ、前記軸は、前記ピンボディーの前記プッシュグリップ部にある前記軸孔、及び、前記左右のピンボディーを開方向に付勢する弾性デバイスを貫通し、
前記軸部に突起部が前記軸に対して対称に設けられ、前記左右のピンボディーが開く時、前記突起部の側壁が前記ガイドスロットの内壁に当接することに連動して、前記かんざしが前記左右のピンボディーの中央に位置決めされることを特徴とする髪止め具。
【請求項２】
前記ピンボディーにある前記左右のピンボディーのピンリブは、交差状を成して配列していることを特徴とする請求項１記載の髪止め具。
【請求項３】
前記かんざしにある前記棒部は、複数であることを特徴とする請求項１記載の髪止め具。
【請求項４】
前記かんざしにある前記棒部は、単一であることを特徴とする請求項１記載の髪止め具。
【請求項５】
前記かんざしの前記軸部にある前記軸は、前記かんざしと一体成型されていることを特徴とする請求項１記載の髪止め具。
【請求項６】
前記弾性デバイスの両側から延伸している末端は、前記ピンボディーの前記プッシュグリップ部の内側最上端に当接可能であることを特徴とする請求項１記載の髪止め具。
【発明の詳細な説明】
【技術分野】
【０００１】
本発明は、髪止め具に関する。
【背景技術】
【０００２】
従来の髪止め具を、第１従来例として図１及び図２に示す。第１従来例による髪止め具１０は、上下に設けた長形の上ピンボディー１００および下ピンボディー１０１を利用して髪の毛を挟むものである。髪止め具１０の場合、上ピンボディー１００および下ピンボディー１０１の後方にプッシュグリップ部１０２およびプッシュグリップ部１０３を設け、プッシュグリップ部１０２、プッシュグリップ部１０３には軸座１０４、軸座１０５を設け、一つの軸１０６によって軸座１０４および軸座１０５を貫通すると同時に、捻りばね（図中省略）も貫通している。図２に示すように、髪止め具１０の場合、髪の毛は線状の挟み部により挟み込まれるため、髪の毛をしっかりと挟み込むことができず、髪の毛からずれたり脱落しやすい。そのため、使用者は随時髪止め具を外し、改めて髪の毛を挟み直す必要が生じる。
【０００３】
図３及び図４に示す第２従来例による髪止め具１１の場合、左ピンボディー１１０および右ピンボディー１１１によって髪の毛を挟み、左ピンボディー１１０および右ピンボディー１１１の上方にプッシュグリップ部１１２およびプッシュグリップ部１１３が設けられている。更に、プッシュグリップ部１１２およびプッシュグリップ部１１３に軸座１１４および軸座１１５が設けられ、一つの軸１１６によって捻りばね１１７を貫通している。図４に示すように、髪止め具１１は、左ピンボディー１１０および右ピンボディー１１１に設けている対称的に交差するピンリブのみを用いて髪の毛を挟み、かんざしのようにまず髪の毛に差込んでから髪の毛を挟むような機能がないので、髪の毛を挟むことはできるが、左右から挟む機能しかなく、立体的に挟むような機能は有していない。そのため、第１従来例と同様、使用者は随時髪止め具を外し、改めて髪の毛を挟み直す必要が生じる。
【０００４】
図５及び図６に示す第３従来例による髪止め具１２の場合、第１従来例と同様、上下に設けた長形の上ピンボディー１２０、下ピンボディー１２１を利用して髪の毛を挟みこむものである。髪止め具１２の場合、上ピンボディー１２０および下ピンボディー１２１に形成された髪の毛を挟む空間は大きく、上ピンボディー１２０および下ピンボディー１２１の前端が呈している交差状の構造によって髪の毛を固定しているものの、その他の部分は上記の第１従来例に相当する。そのため、図６に示すように、髪止め具１２の場合も、第１従来例と同様、線状の挟み部による挟み込み状態を呈し、髪の毛を挟む量が多いという利点はあるものの、髪の毛をしっかりと挟む効果は限られている。
【０００５】
図７及び図８に示す第４従来例による髪止め具１３の場合、第３従来例と同様、上下に設けた長形の上ピンボディー１３０および下ピンボディー１３１を利用して髪の毛を挟みこむものである。髪止め具１３の場合、上ピンボディー１３０および下ピンボディー１３１に形成された髪の毛を挟む面積はより大きく、これによって、髪の毛を固定しているものの、その他の部分は上記の第３従来例に相当する。そのため、図８に示すように、髪止め具１３の場合も上下だけで髪の毛を挟み、立体的に髪の毛を挟みこむ機能は有していない。
【発明の開示】
【発明が解決しようとする課題】
【０００６】
本発明の目的は、立体的に髪の毛を挟み、良好な飾り効果が得られる髪止め具を提供することにある。
【課題を解決するための手段】
【０００７】
本発明の髪止め具にピンボディーを設け、ピンボディーは左右のピンボディーからなり、左右のピンボディーに別々に複数のピンリブを設け、左右ピンボディーのピンリブは交差状を成して配列し、左右のピンボディーにプッシュグリップ部を設け、プッシュグリップ部に軸孔を設け、プッシュグリップ部の内側にガイドスロットを設ける。更に、かんざしを設け、かんざしに棒部と軸部を設け、棒部は軸部から前に向かって延伸し、軸部に軸を設け、軸はピンボディーのプッシュグリップ部の軸孔を貫通し、弾性デバイスも貫通している。軸部には、下に向かって延伸する突起部が設けられている。
【０００８】
本発明の髪止め具は、かんざしをピンボディーの内部に設け、使用者がピンボディーのプッシュグリップ部を押すと左右のピンボディーが開き、プッシュグリップ部のガイドスロットを利用しかんざしの軸部にある突起部を挟み、突起部の側壁がガイドスロットの内壁に当接することによって、左右のピンボディーが開く時、かんざしが連動作用によって髪止め具の中央に位置決めされる。そのため、使用者はまずかんざしを髪の毛のまげに差し込んでから左右のピンボディーによって髪の毛を挟み込むと、髪の毛はしっかりと挟まれ固定されるとともに、良好な飾り効果が得られる。
【発明を実施するための最良の形態】
【０００９】
本発明の一実施形態による髪止め具を図９から図１１に示す。本発明の一実施形態による髪止め具は、下記の構造を含む。
ピンボディー２は、左ピンボディー２０および右ピンボディー２１からなり、左ピンボディー２０および右ピンボディー２１には別々に複数のピンリブ２００およびピンリブ２１０が設けられている。左右のピンボディーのピンリブ２００およびピンリブ２１０は交差状を成して配列し、左右のピンボディーには対称的にプッシュグリップ部２０１およびプッシュグリップ部２１１が設けられている。プッシュグリップ部には軸孔２０２および軸孔２１２形成され（図１５参照）、プッシュグリップ部２０１およびプッシュグリップ部２１１の内側にはガイドスロット２０３およびガイドスロット２１３（図１２から図１４参照）が設けられている。
【００１０】
かんざし３は、棒部３０を有し、棒部３０は軸部３１から前に向かって延伸し、複数を呈しているが、単一でもよい。軸部３１には軸３１０が設けられている。軸３１０は、かんざし３と一体成型されていることが望ましい。軸３１０は、ピンボディー２にあるプッシュグリップ部２０１、プッシュグリップ部２１１の軸孔２０２、軸孔２１２（図１４及び図１５参照）を貫通し、かつ弾性デバイス４も貫通している。弾性デバイス４は、捻りばねであることが望ましい。弾性デバイス４の両側に向かって延伸する末端４０および末端４１を利用し、上記のピンボディー２のプッシュグリップ部２０１およびプッシュグリップ部２１１の内側最上端に当接すると、左ピンボディー２０と右ピンボディー２１とは開いた状態から自動的に閉合状態に戻る。これにより、髪の毛の挟み効果が確保される。軸部３１のやや後方には、下に向かって延伸する突起部３１１が設けられている。そして、かんざし３をピンボディー２の内部に設け、使用者がピンボディー２のプッシュグリップ部２０１およびプッシュグリップ部２１１を押すと、左ピンボディー２０と右ピンボディー２１とは直ちに開く。さらに、プッシュグリップ部２０１およびプッシュグリップ部２１１にあるガイドスロット２０３およびガイドスロット２１３を利用し、かんざし３の軸部３１にある突起部３１１を挟み込み、突起部３１１の側壁がガイドスロット２１３の内壁に当接することによって、左右のピンボディーが開く時、かんざし３が連動作用によって髪止め具の中央（図１５参照）に位置決めされることができる。これにより、使用者はまずかんざし３をまげ５の中（図１６参照）に差し込んでから、ピンボディー２の左ピンボディー２０および右ピンボディー２１にある複数のピンリブ２００およびピンリブ２１０によって左右から髪の毛を挟み込むと、髪の毛は立体的にしっかりと挟まれ固定されるので（図１６参照）、良好な飾り効果が得られる。
【図面の簡単な説明】
【００１１】
【図１】第１従来例による髪止め具の側面図である。
【図２】第１従来例による髪止め具の使用状態の模式図である。
【図３】第２従来例による髪止め具の側面図である。
【図４】第２従来例による髪止め具の使用状態の模式図である。
【図５】第３従来例による髪止め具の側面図である。
【図６】第３従来例による髪止め具の使用状態の模式図である。
【図７】第４従来例による髪止め具の側面図である。
【図８】第４従来例による髪止め具の使用状態の模式図である。
【図９】本発明の一実施形態による髪止め具を示す斜視図である。
【図１０】本発明の一実施形態による髪止め具のかんざしを示す斜視図である。
【図１１】本発明の一実施形態による髪止め具を示す模式図である。
【図１２】本発明の一実施形態による髪止め具のピンボディーを一部開いた状態を示す断面図である。
【図１３】本発明の一実施形態による髪止め具のピンボディーを一部閉合した状態を示す断面図である。
【図１４】本発明の一実施形態による髪止め具のピンボディーを一部開いた状態を示す断面図である。
【図１５】本発明の一実施形態による髪止め具を開いた状態を示す前面図である。
【図１６】本発明の一実施形態による髪止め具の使用状態を示す模式図である。
【符号の説明】
【００１２】
２：ピンボディー、３：かんざし、４：弾性デバイス、５：まげ、２０：左ピンボディー、２１：右ピンボディー、３０：棒部、３１：軸部、４０：末端、４１：末端、２００：ピンリブ、２０１：プッシュグリップ部、２０２：軸孔、２０３：ガイドスロット、２１０：ピンリブ、２１１：プッシュグリップ部、２１２：軸孔、２１３：ガイドスロット、３１０：軸、３１１：突起部。
【図１】
0004616328.tif 000002
【図２】
0004616328.tif 000003
【図３】
0004616328.tif 000004
【図４】
0004616328.tif 000005
【図５】
0004616328.tif 000006
【図６】
0004616328.tif 000007
【図７】
0004616328.tif 000008
【図８】
0004616328.tif 000009
【図９】
0004616328.tif 000010
【図１０】
0004616328.tif 000011
【図１１】
0004616328.tif 000012
【図１２】
0004616328.tif 000013
【図１３】
0004616328.tif 000014
【図１４】
0004616328.tif 000015
【図１５】
0004616328.tif 000016
【図１６】
0004616328.tif 000017